(57)【要約】      （修正有）【課題】花瓶の外形意匠を損なうことなく、花瓶の外観意匠を種々に変更できる花瓶とその装飾物を提供する。【解決手段】花瓶１は、透明な素材の容器体２と装飾物（装飾シート３、その他）とからなり、装飾物を容器体２の内面に沿わせ、かつ、交換可能に配置してある。【選択図】図１
0003210328.tif 000002
【実用新案登録請求の範囲】
【請求項１】
透明な素材の容器体と装飾物とからなり、装飾物を容器体の内面に沿わせ、かつ、交換可能に配置してあることを特徴とした花瓶。
【請求項２】
透明な素材の容器体と装飾シートとからなり、巻き込んだ装飾シートを容器体の内面に沿って交換可能に配置してあることを特徴とした花瓶。
【請求項３】
透明な素材の容器体と装飾シートとからなり、巻き込んだ装飾シートを容器体の内面に沿って交換可能に配置してあり、装飾シートは両面が装飾面であることを特徴とした花瓶。
【請求項４】
透明な素材の容器体と装飾シートとからなり、巻き込んだ装飾シートを容器体の内面に沿って交換可能に配置してあり、装飾シートはシート自体を変形させた構造により装飾性が付与されていることを特徴とした花瓶。
【請求項５】
装飾シートは、巻き付ける際の左右の一方の縁に他の縁との接続手段が設けられていることを特徴とした請求項２に記載の花瓶。
【請求項６】
装飾物は、短冊型の装飾シートであることを特徴とした請求項１に記載の花瓶。
【請求項７】
装飾シートは耐水性シートであるとともに、表面に抗菌性の皮膜が形成されるコーティング剤によるコート膜が形成されていることを特徴とした請求項２〜６のいずれか一つに記載の花瓶。
【請求項８】
透明な素材の容器体と装飾物とからなり、装飾物は比重を調整した透明液体に装飾用小体を浮遊させたものであって容器体の内面に沿わせ、かつ、交換可能に配置してあることを特徴とした花瓶。
【請求項９】
装飾用小体はシート状の切片であることあるいはこれを含むことを特徴とした請求項８に記載の花瓶。
【請求項１０】
装飾用小体は曲面からなる立体、平面からなる立体または曲面を有する立体のいずれかあるいはこれらのいずれか又は全部を含むことを特徴とした請求項８に記載の花瓶。
【請求項１１】
透明な素材の容器体と組み合わせて花瓶を構成する装飾物であって、前記容器体の内面に沿わせ、かつ、交換可能に配置されることを特徴とした装飾シート。
【考案の詳細な説明】
【技術分野】
【０００１】
本考案は、花瓶とその装飾物に関する。
【背景技術】
【０００２】
花瓶は素材に種々なものがあるが、一般に形態、模様、色などが固定されており、定位置におかれ続けることも手伝って時間の経過とともに見慣れてしまい、目立たなくなったり、インテリアとしての装飾性が減退したりする。
ガラスやアクリルなどで作られた透明性のある花瓶も同じである。
透明性のある花瓶では、内部に照明を装てんしたり、外部からの投光による反射でイメージを変化させたり、貯水に色を付けたりして装飾態様を変えることができる。しかし、内部に照明を装てんしたり、外部に投光装置が必要になったりで面倒である。
【０００３】
特許文献１の花瓶はその意匠の多様化を課題としたもので、花瓶の周りに意匠化した平面の覆いを巻き付けることで課題を解決している。
巻き付けることを基本とした解決手段であるため、花瓶が透明でなくても例えば錆び止めを施した鉄製などでも対応が可能である。
【先行技術文献】
【特許文献】
【０００４】
【特許文献１】特開２００９−２９７４７２号公報
【考案の概要】
【考案が解決しようとする課題】
【０００５】
前記の従来技術は基本的に花瓶の外部を覆う、いわゆるラッピングの技術に似たものであって、花瓶の形態や材質、あるいは凹凸にかかわらず花瓶の外観意匠を変化させることにより多様化を実現できるものであるが、外部に巻きつけられた覆いのために花瓶そのものの外形意匠も隠され、花瓶そのものが持つ意匠性を活かすことが出来ない。
この考案は、花瓶の外形意匠を損なうことなく、花瓶の外観意匠を種々に変更できる花瓶とその装飾物の提供を課題とする。
【課題を解決するための手段】
【０００６】
透明な素材の容器体と装飾物とからなり、装飾物を容器体の内面に沿わせ、かつ、交換可能に配置して花瓶とすることを基本構造とする。
前記の装飾物はシートであって、巻き込んで容器体の内部へ装てんし、容器体の内面に沿って交換可能に配置することがある。シートの素材は紙、樹脂などであり、巻き込んだり、折り曲げたりできるものであって、巻いた状態あるいは折り曲げた状態で自立できる素材とする。
【０００７】
このようなシートは例えば両面プリントなどにより両面に装飾性を持たせる。両面の装飾を異なるデザインとすれば、一枚のシートを巻き返したり、折り返したりして使用することで花瓶の外観意匠を２通りに変化させることができる。
シートの装飾態様としては、プリントの他に凹凸を付けたりする種々のものを提案できる。また、切り抜きや切り起こしによってシート自体を変形させた立体的な構造も採用することができる。
【０００８】
装飾シートは、生花を活け込む花瓶では耐水性の必要がある。その場合に、シート表面にいわゆる光触媒コーティング剤（酸化チタンＴｉＯ２）のコート膜のような抗菌性のある皮膜が形成されていると、貯水の殺菌と浄化作用が発揮されて生花を長持ちさせることができる。
しかし、造花を利用する場合には格別必要なことではない。
なお、装飾シートは、巻き付ける際の左右の一方の縁に他の縁との接続手段（例えば耐水性の接着領域や両側の縁を挟みこめるピンチ等）があらかじめ設けられていると、巻き込んで花瓶に嵌め込んだ装飾シートの姿勢を維持し易い。
【０００９】
装飾物として、比重を調整した透明液体に装飾用小体を浮遊させたものとすることが出来る。この場合装飾用小体は容器体の奥にあっては目立たないので、容器体の内面に沿わせる。装飾用小体だけを交換したり、全体を交換可能に配置したりすることもできる。
また、装飾用小体としてはシート状の切片や曲面からなる立体（球、任意な球面で囲まれた立体など）、平面からなる立体（サイコロ、角柱、三角錘など）または曲面を有する立体（半割り球体のようなもの）などを挙げられる。これらは一種が採用されることもあれば、複数種が混在したり、前記の切片など他の種のものと組み合わされて使用されたりすることがある。
【考案の効果】
【００１０】
この考案による花瓶は、外観意匠が花瓶本来の意匠に加えて、透明な花瓶の内部に納めた装飾物による装飾効果が加わって興趣の高いものとなる。また、装飾物を交換するなどして花瓶全体の外観意匠を種々に変更できる。
【図面の簡単な説明】
【００１１】
【図１】使用状態で示した全体図（実施例１）。
【図２】組み立ての状態を示す斜視図。
【図３】（イ）は装飾シートの他の例を示した斜視図（実施例２）、（ロ）は留め具の斜視図。
【図４】他の装飾物を使用した花瓶（実施例３）の斜視図。
【図５】角形の花瓶で示す実施例４の組み立て状態を示す斜視図。
【図６】角形の花瓶で示す実施例５の組み立て状態を示す斜視図。
【考案を実施するための形態】
【００１２】
〔実施例１〕
図１において、花瓶１は容器体２と装飾シート３（装飾物）とからなる。装飾シート３は左右両側を近づけるように巻き込んで容器体２の内部に納められている。容器体２と装飾シート３とが分離した状態のものを図２に示している。
容器体２は、この実施例において透明なガラス製で有底の筒状であり、高さ２５０ｍｍ、直径８０ｍｍ、肉厚６ｍｍである。容器体２の素材としては、他に透明な樹脂（アクリル樹脂等）を用いることができる。透明とは彩色の場合もあれば薄い乳白色を呈している場合など、容器体２の内面に沿って配置されたものを見透すことが出来る場合を含む。
【００１３】
装飾シート３は、この実施例において両面に異なる装飾プリント４が施された長方形の比較的厚い紙（２００ｇ／ｍ２）で構成されており、縦（高さ）２３０ｍｍ、横（左右）２２５ｍｍのやや縦長である。素材として紙の他に透明、不透明な樹脂シート（ポリプロピレンシートなど）を用いることができる。装飾シート表面への装飾プリント４は、種々の模様や絵あるいは色彩であって、多種のものが準備される。
【００１４】
装飾シート３は、貯水する生花用の容器体２に使用するものでは耐水処理をしたり、耐水性の素材からなるシートを利用したりする。そして、その表面に光触媒効果コーティング剤（主剤：酸化チタンＴｉＯ２）を塗布してコート膜を形成すると、酸化チタンによる貯水の殺菌と浄化作用があり、生花を長持ちさせることができる。なお、光触媒効果コーティング剤は一例であって、抗菌性の皮膜が形成されるコーティング剤であればよい。
【００１５】
装飾シート３は、左右の端縁を相互に近づけて巻き込み、巻き込んだ装飾シート３を容器体２の内部に配置する（図２）。装飾シート３は容器体２の内部でシート自体の弾力で直径を大きくするように広がり、装飾面が容器体２の内面に沿って配置される。このため、装飾シート３の装飾面は容器体２の外部から明確に目視することができ、花瓶１の外観意匠が強化される。
装飾シート３の一面側の装飾面に飽きてしまった場合、装飾シート３を容器体２から抜き取り、反対側へ巻き変えて他の面を表にし、再び容器体２へ挿し込めば、新しい装飾面が容器体２の内面に沿って配置される。
【００１６】
図１において、符号５は敷きシートであり、この上に花瓶１を載せている。敷きシート５は、この実施例において、前記の装飾シート３と実質的に同じものであり、用途を敷きシートとしているだけのものである。もちろん、その装飾面（上面）は装飾シート３と相性の良いものを選択すべきであるが、同じにする必要はない。
なお、敷きシート５の大きさは角形、丸形、その他の形状にかかわらず、概ね、花瓶１に挿し込む花（生花、造花）の広がりの１／３程度の広がりとすることが装飾上でバランスが良いとされている。
【００１７】
図３（イ）は、実施例２の装飾シート３を示し、巻き込んだ装飾シート３の左右の端縁を留め具６〈図３（ロ）〉で接続してある。留め具６は両側に挟み部７ａ，７ｂを備えた樹脂部材である。実施例では、装飾シート３の一方の端縁（左端）に３個の留め具６を配置し、それぞれ一方の挟み部７ａで一方の端縁にあらかじめ固定してある。他方の端縁は、シートを巻き込んで一方の端縁へ突き合わせる格好とし、留め具６の他方の挟み部７ｂに挿し込んで留め付ける。挟み部７ｂと差し込まれたシートの端縁とは接着剤などで固定してもよいが、装飾シート３の表裏を使用するときは巻き返しのために留め具６による挟み付け力（弾力）だけで取り付けておき、着脱が容易なようにする。
留め具６による固定の状態は挟み部７ａ，７ｂともに挟み付けによるだけでもよい。
実施例２の他の構成は実施例１の場合と同じである。
【００１８】
なお、接続手段としては前記の留め具６を装飾シート３の端縁の全長に渡るものであってもよいし、他に洗濯挟みのようなピンチ型でもよい。あるいは、装飾シート３の一方の端縁に沿って５ｍｍ程度の幅で耐水性接着剤をあらかじめ塗布しその箇所をセパレート紙で覆うという手段の場合もある。
このような接続手段を用いると、巻き込んだ装飾シート３を容器体２へ挿し込むとき、シートの弾力で巻き込みがバラけてしまうことが無く、容器体２へ装飾シート３を装てんし易い。また、容器体２の内部で装飾シート３の姿勢を維持し易い。
【００１９】
図４は、実施例３の装飾物を示し、グリセリンを混入するなどして比重を調整した透明液体（どろりとした状態の場合もある）に装飾用小体８（８ａ〜８ｄ）を浮遊させたものである。この場合装飾用小体８は容器体２の奥にあっては目立たないので、図４に示すように、容器体２の内面に沿わせて配置する。装飾用小体８だけを交換したり、透明液体を含めた全体を交換したりする。
【００２０】
また、装飾用小体８としては金属蒸着フィルムやカラー樹脂フィルムを細かく切断したシート状の切片８ａ（図４）や樹脂や木、あるいは多気泡を有するセラミック材を素材とした曲面からなる立体８ｂ（球、任意な球面で囲まれた立体など）、同様な素材の平面からなる立体８ｃ（サイコロ、角柱、三角錘など）または曲面を有する立体８ｄ（半割り球体のようなもの）などを挙げられる。これらは一種が採用されることもあれば、複数種が混在したり、前記の切片８ａなど他の種のものと組み合わされて使用されたりすることがある。図４では図表示の都合上、多種のものを混在させてある。透明液体の比重は装飾用小体８の素材や構造に応じて調整する必要がある。
装飾小体８の種類を変えたり、量を変えたりすることで花瓶１の外観意匠を変更することができる。
容器体２や敷きシート５などの構成は実施例１の場合と同じである。
【００２１】
図５は実施例４であり、花瓶１の容器体２が有底の四角柱となっている。内部に装てんする装飾シート３は、４つの面片９（９ａ〜９ｄ）が折り線１０でつながった折り曲げ状態のものであり、左右の面片（９ａ，９ｄ）の端縁同士を接続する。この実施例では装飾シート３の４つの面それぞれに異なるイメージの図柄などを配置しておき、面の向きを変えることで花瓶の外観意匠を変更することができる。また、この装飾シート３が両面を装飾面としている場合は、折り線１０に沿って各面片９を反対側へ折り曲げることでも花瓶１の外観意匠を変更することができる。
この実施例においても、装飾シート３の端縁同士を留め具６等の接続手段を用いて接続しておくこともできる。
【００２２】
なお、４つの面片９（９ａ〜９ｄ）が折り線１０でつながった折り曲げ状態の装飾シート３は、図６のように、４片の短冊に切り分けたものとしてもよい（実施例５）。それぞれが自立するように、少し厚めにするか下端部をわずかに折り曲げたり、あるいは接続手段を利用したりするなどの工夫をする。
実施例５の短冊型では、短冊の表裏を変えて外観意匠を変更することが出来る上、配置の順番を変えたり、表裏の組み合わせを変えたり、あるいは短冊間に間隔を置くなどして花瓶の外観意匠を多種に変更することができる。
他の構成は実施例１の場合とおなじである。
【００２３】
以上において、装飾シートや比重を調整した透明液体に装飾用小体を浮遊させたものは花瓶のための装飾物であり、透明な容器体の内面に沿わせ且つ交換可能に配置できるようにすることで花瓶の装飾物へと特化させたものである。
【００２４】
以上、実施例について説明した。
容器体２の形態は筒状のものに限定されない。また、装飾シート３の形態や厚さも限定されない。
敷きシート５は任意に使用するものである。
【符号の説明】
【００２５】
１  花瓶
２  容器体
３  装飾シート
４  装飾プリント
５  敷きシート
６  留め具
７  透明液体
８  装飾用小体
８ａ  切片
８ｂ  曲面からなる立体
８ｃ  平面からなる立体
８ｄ  曲面を有する立体
９  （９ａ〜９ｂ）面片
１０  折り線
【図１】
0003210328.tif 000003
【図２】
0003210328.tif 000004
【図３】
0003210328.tif 000005
【図４】
0003210328.tif 000006
【図５】
0003210328.tif 000007
【図６】
0003210328.tif 000008